(57)【特許請求の範囲】
【請求項１】
基板本体（１１）と、
前記基板本体に設けられ、他の基板（２０）が前記基板本体に対して傾斜する方向から挿入され、さらに前記他の基板が前記基板本体に対して平行になるまで回動されることにより、前記他の基板のコネクタ端子（２１）を前記基板本体のコネクタ端子（１５）に接続するコネクタ（１２）と、
前記基板本体に前記コネクタとは別に設けられ、前記他の基板が前記基板本体に対して傾斜する傾斜状態から前記基板本体に対して平行な平行状態に移行する過程で当該他の基板に接触するコンタクト（１７）を有し、このコンタクトを介して前記他の基板のグランド端子（２２）を前記基板本体のグランド端子（１９）に接続するグランド接続部（１３）と、
を備え、
前記他の基板が前記傾斜状態から前記平行状態に移行する過程において、前記他の基板のグランド端子に接触した前記コンタクトが前記他の基板のグランド端子を摺動する基板。
【請求項２】
前記グランド接続部は、前記コネクタから所定距離離れた位置に設けられている請求項１に記載の基板。
【請求項３】
前記他の基板のグランド端子は、当該他の基板のうち前記コネクタに挿入されない非挿入領域に設けられており、
前記グランド接続部は、前記非挿入領域に対向する位置に設けられている請求項１または２に記載の基板。
【請求項４】
前記コネクタは、前記他の基板の挿入方向に直交する方向に沿って延びる長尺な形状を成しており、
前記グランド接続部は、前記コネクタの長手方向の両端部のうち少なくとも一方の端部に設けられている請求項１から３の何れか１項に記載の基板。
【発明の詳細な説明】
【技術分野】
【０００１】
本発明は、他の基板を接続するためのコネクタを備える基板に関する。
【背景技術】
【０００２】
例えばマザーボードといった大基板にコネクタを設け、このコネクタに小基板を接続する構成が知られている。この種の構成においては、例えばノイズの悪化などを防ぐために、小基板のグランド端子を大基板のグランド端子に接続する構造が求められる。このようなグランド端子を接続するための構造として、従来では、基板同士の固定も兼ねて、金属製のねじにより小基板を大基板に締め付ける構造が採用されている。しかし、ねじ締めによる構造では、大きな締め付け力が基板やコネクタに作用してしまう。そのため、ねじ締めによる構造の代替となるグランド接続用の構造が求められている。
【０００３】
例えば特許文献１には、親基板のコネクタに可撓性を有するグランド端子を設け、このコネクタに子基板を接続する際に、グランド端子を撓ませて親基板のグランドパターンに接触させる構造が開示されている。しかし、この構造では、グランド端子が可撓性を有していることから、当該グランド端子そのものに過大な負荷がかかり、折損や変形などが発生してしまうおそれがある。
【先行技術文献】
【特許文献】
【０００４】
【特許文献１】特開２００４−３１１０８１号公報
【発明の概要】
【発明が解決しようとする課題】
【０００５】
そこで、本発明は、複数の基板のグランド端子を、これらグランド端子に与えられる負荷を抑えつつ接続することを課題とする。
【課題を解決するための手段】
【０００６】
本発明に係る基板によれば、他の基板のグランド端子を基板本体のグランド端子に接続するためのグランド接続部は、基板本体においてコネクタとは別に設けられている。そして、グランド接続部は、他の基板が基板本体に対して傾斜する傾斜状態から基板本体に対して平行な平行状態に移行する過程で当該他の基板に接触するコンタクトを有し、このコンタクトを介して他の基板のグランド端子を基板本体のグランド端子に接続する構成である。
【０００７】
この構成によれば、他の基板を傾斜状態から平行状態に移行させることでコネクタに接続する構成を利用して、異なる基板のグランド端子間をコンタクトを介して接続することができる。そのため、ねじ締めによる接続構造やグランド端子そのものを撓ませる接続構造に比べ、グランド端子間を無理なく接続することができる。従って、複数の基板のグランド端子を、これらグランド端子に与えられる負荷を抑えつつ接続することができる。
【図面の簡単な説明】
【０００８】
【図１】一実施形態に係る基板の構成例を概略的に示す斜視図
【図２】基板の要部を示す断面図
【図３】基板の平面図
【図４】他の基板がコネクタに取り付けられた状態を示す基板の斜視図
【図５】他の基板の底面図
【図６】他の基板がコネクタに挿入された状態を示す基板の斜視図
【図７】他の基板がコネクタに挿入された状態における基板の要部を示す断面図
【図８】他の基板が傾斜状態から平行状態に移行する過程における基板の要部を示す断面図
【図９】他の基板が平行状態に移行した状態における基板の要部を示す断面図
【図１０】他の基板が平行状態に移行した状態を示す基板の斜視図
【図１１】変形例に係る基板の平面図
【発明を実施するための形態】
【０００９】
以下、基板に係る一実施形態について図面を参照しながら説明する。図１に例示する基板１０は、例えば車両に搭載される機器類のマザーボードなどを構成するものであり、その主体となる基板本体１１には、コネクタ１２とグランド接続部１３が設けられている。コネクタ１２は、基板本体１１の一端部に沿うようにして配置されており、その外殻を構成する絶縁材製の本体部１４に、他の基板２０が接続される接続口１４ａを有する。コネクタ１２は、接続口１４ａに対する他の基板２０の挿入方向に直交する方向に沿って延びる長尺な形状となっている。コネクタ１２は、接続口１４ａの内部に複数のコネクタ端子１５を備えている。
【００１０】
グランド接続部１３は、基板本体１１においてコネクタ１２とは別の部品として設けられている。図２に例示するように、グランド接続部１３は、その外殻を構成する絶縁材製の本体部１６に金属製のコンタクト１７を備える。コンタクト１７は、本体部１６を貫通する孔部１８に挿入されており、基板本体１１に対して垂直な方向に沿って移動可能に設けられている。また、コンタクト１７の先端部は、コネクタ１２の長手方向に見た断面が三角形となる三角柱状をなしている。また、コンタクト１７は、孔部１８内に設けられた例えばばねなどで構成される付勢部材１８ａにより、先端側に向かって付勢されている。なお、コンタクト１７は、例えば、その基端部の側部に設けられた突起１７ａが孔部１８の先端部に設けられたストッパ１８ｂに係止することにより、本体部１６から外れてしまうことが回避されるようになっている。また、グランド接続部１３は、その孔部１８が基板本体１１のグランド端子１９に対向するように配置されている。
【００１１】
図３に例示するように、グランド接続部１３は、コネクタ１２の長手方向の両端部のうち一方の端部の近傍に設けられている。この場合、グランド接続部１３は、コネクタ１２の一端部から所定距離Ｄ１離れた位置に設けられている。所定距離Ｄ１は、適宜変更して設定することができるが、本実施形態では、１ｍｍほどで設定されている。また、グランド接続部１３は、コネクタ１２の長手方向に沿う寸法Ｓ１が４ｍｍほどであり、コネクタ１２の長手方向に直交する方向である短手方向に沿う寸法Ｓ２が６．３ｍｍほどである。
【００１２】
図４に例示するように、コネクタ１２には、基板１０以外の他の基板２０が接続される。この場合、他の基板２０は、基板１０よりも小さい基板となっている。以下、基板１０を大基板１０と称し、他の基板２０を小基板２０と称する。本実施形態では、図示しないＣＰＵは、大基板１０ではなく小基板２０に実装されている。なお、ＣＰＵは大基板１０に設けられていてもよいし、大基板１０および小基板２０の双方に設けられていてもよい。
【００１３】
図５に例示するように、小基板２０のうち基板本体１１に対向する面には、複数のコネクタ端子２１と複数のグランド端子２２が設けられている。この場合、小基板２０のうちコネクタ１２に接続される接続端には２つのスリット２３が設けられている。そして、小基板２０の接続端は、スリット２３により挿入領域Ｒ１と非挿入領域Ｒ２に区分されている。挿入領域Ｒ１は、実際にコネクタ１２の接続口１４ａ内に挿入される領域である。コネクタ端子２１は、挿入領域Ｒ１に設けられている。非挿入領域Ｒ２は、コネクタ１２の接続口１４ａ内に挿入されない領域であり、挿入領域Ｒ１を挟んで接続端の両側に設けられている。グランド端子２２は、非挿入領域Ｒ２に設けられている。
【００１４】
この場合、小基板２０は、コネクタ１２に対する挿入方向Ａに沿う寸法Ｓ３が９０ｍｍほどであり、挿入方向Ａに直交する方向に沿う寸法Ｓ４が８０ｍｍほどである。そして、グランド端子２２は、挿入方向Ａに沿う寸法Ｓ５が１２ｍｍほどであり、挿入方向Ａに直交する方向に沿う寸法Ｓ６が６ｍｍほどである。なお、上述のグランド接続部１３は、詳しくは後述するようにして平行状態となった小基板２０の非挿入領域Ｒ２に対向する位置に設けられている。
【００１５】
次に、大基板１０に小基板２０を接続する場合の態様について説明する。即ち、図６に例示するように、小基板２０は、基板本体１１に対して傾斜する方向からコネクタ１２の接続口１４ａに挿入される。図７にも示すように、この初期の挿入状態では、小基板２０が基板本体１１に対して所定角度α以上を有して傾斜している。このように、小基板２０が基板本体１１に対して所定角度α以上を有して傾斜している状態では、コンタクト１７は、小基板２０に接触しないようになっている。そして、この傾斜状態から、小基板２０を、基板本体１１に対して平行になるまで回動させていく。このように、小基板２０を傾斜状態から基板本体１１に対して平行となる平行状態に回動させる過程において、図８に示すように、小基板２０の傾斜角度が所定角度αに達すると、コンタクト１７の先端部は、小基板２０のグランド端子２２に接触する。
【００１６】
そして、その接触後においては、さらに小基板２０が回動されることに伴い、コンタクト１７が基板本体１１側に押し込まれていく。そして、図９および図１０に示すように、小基板２０が完全に平行状態に移行すると、コンタクト１７の基端部が基板本体１１のグランド端子１９に接触する。これにより、小基板２０のグランド端子２２がコンタクト１７を介して大基板１０のグランド端子１９に接続された状態となる。また、小基板２０が平行状態に移行することにより、コネクタ端子２１が基板本体１１のコネクタ端子１５に接続される。なお、コネクタ端子１５，２１は、大基板１０と小基板２０との間における各種の通信に用いられる端子である。
【００１７】
また、小基板２０が傾斜状態から平行状態に移行する過程において、コンタクト１７の先端部がグランド端子２２に接触すると、その後においては、小基板２０の回動に伴い、コンタクト１７の先端部がグランド端子２２の表面を摺動する。これにより、仮にグランド端子２２の表面に埃などの異物が付着していたとしても、その異物をコンタクト１７の先端部により取り除くことができる。
【００１８】
基板１０によれば、小基板２０を傾斜状態から平行状態に移行させることでコネクタ１２に接続する構成を利用して、異なる基板のグランド端子１９，２２間をコンタクト１７を介して接続することができる。そのため、ねじ締めによる接続構造やグランド端子そのものを撓ませる接続構造に比べ、グランド端子１９，２２間を無理なく接続することができる。従って、基板１０のグランド端子１９と小基板２０のグランド端子２２とを、これらグランド端子１９，２２に与えられる負荷を抑えつつ接続することができる。
【００１９】
また、基板１０によれば、小基板２０が傾斜状態から平行状態に移行する過程において、小基板２０のグランド端子２２に接触したコンタクト１７は、小基板２０の回動に伴い当該グランド端子２２の表面を摺動する。これにより、コンタクト１７の摺動によりグランド端子２２の表面をワイピングする作用を得ることができ、グランド端子１９，２２間の導通不良を抑えることができる。
【００２０】
また、基板１０によれば、グランド接続部１３はコネクタ１２から所定距離離れた位置に設けられている。即ち、グランド接続部１３は、コネクタ１２とは別個独立した構成要素であるから、その設置位置を、他の基板のグランド端子の位置に応じて適宜変更して設計することができる。なお、グランド接続部１３は、コネクタ１２の外部に設けられているのであれば、コネクタ１２に接していてもよい。
【００２１】
また、小基板２０は、グランド端子２２を非挿入領域Ｒ２に設けている構成である。そのため、仮に、基板１０のグランド端子１９がコネクタ１２内に設けられている構成である場合には、グランド端子１９，２２間の接続が困難である。基板１０によれば、グランド接続部１３は、コネクタ１２の外部において、非挿入領域Ｒ２に対向する位置に設けられている。そのため、本実施形態に係る構成は、コネクタ１２に接続される他の基板が非挿入領域にグランド端子を備える基板である場合に、特に有効である。
【００２２】
なお、図１１に例示するように、基板１０は、グランド接続部１３をコネクタ１２の長手方向の両端部の近傍に設ける構成としてもよい。この構成によっても、基板１０のグランド端子１９と小基板２０のグランド端子２２とを、これらグランド端子１９，２２に与えられる負荷を抑えつつ接続することができる。また、グランド端子１９，２２間の接続を複数箇所で行うことができ、複数の基板間におけるグランド端子の接続をより確実に行うことができる。
【００２３】
本発明は、上述した実施形態に限定されるものではなく、その要旨を逸脱しない範囲で種々の実施形態に適用可能である。例えば、大基板１０、小基板２０、コネクタ１２、グランド接続部１３などの形状や寸法は、適宜変更して実施することができる。また、コネクタ１２やグランド接続部１３の設置位置は、接続される他の基板の種類や大きさ、他の基板におけるグランド端子の位置に応じて、適宜変更して実施することができる。また、所定角度α、即ち、グランド接続部のコンタクトを他の基板に接触させるときにおける他の基板の傾斜角度は適宜変更して設定することができる。そして、この所定角度αの設定値を変更した場合には、その設定値に応じてグランド接続部１３の設置位置を適宜調整するとよい。
【符号の説明】
【００２４】
図面中、１０は大基板（基板）、１１は基板本体、１２はコネクタ、１３はグランド接続部、１５はコネクタ端子、１７はコンタクト、１９はグランド端子、２０は小基板（他の基板）、２１はコネクタ端子、２２はグランド端子を示す。
【図１】
0006331928.tif 000002
【図２】
0006331928.tif 000003
【図３】
0006331928.tif 000004
【図４】
0006331928.tif 000005
【図５】
0006331928.tif 000006
【図６】
0006331928.tif 000007
【図７】
0006331928.tif 000008
【図８】
0006331928.tif 000009
【図９】
0006331928.tif 000010
【図１０】
0006331928.tif 000011
【図１１】
0006331928.tif 000012